【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
基板上に、陽極と、正孔注入層と、発光層と、陰極とがこの順序で積層されており、
前記正孔注入層が、下記一般式（１）に示されるポリカルバゾール骨格を有する正孔輸送性高分子からなることを特徴とする有機ＥＬ素子。
【化１】
2009283509.tif 000001
【化２】
2009283509.tif 000002
［式（１）中、ｎは１〜１０００の整数であり、ｘとｙの比率は任意であり、Ｒは置換基であって、水素原子または置換されていてもよいアルキル基、置換されていてもよいアルコキシ基のいずれかであり、Ａｒ１およびＡｒ２は、各々独立に、置換されていてもよい芳香族炭化水素基、または置換されていてもよい芳香族複素環基を示す。
また、Ｘは、触媒の有る無しに関係なく、光あるいは熱によりクロスリンクが可能な重合性官能基をもった置換基であり、ビニル基、トリフルオロビニル基、アクリル基、メタクリル基、オキセタン基、あるいはエポキシ基などを有する、置換されていてもよいアルキル基、置換されてもよいアルコキシ基、置換されていてもよい芳香族炭化水素基、または置換されていてもよい芳香族複素環基を示し、ａおよびｂは各々独立に１〜５の整数を示す。
さらに、Ａｒ３は、上記一般式（２）に示されるカルバゾール環を含むモノマー部位であり、隣接するモノマー部位と２，７−位、または３，６−位を介して結合する。
式（２）中、Ｒ４は、置換されていてもよいアルキル基、置換されていてもよい芳香族炭化水素基、または置換されていてもよい芳香族複素環基を示し、Ｒ５、Ｒ６は、各々独立に、水素、置換されていてもよいアルキル基、置換されていてもよいアルコキシ基、置換されていてもよい芳香族炭化水素基、あるいは置換されていてもよい芳香族複素環基を示し、または、ニトロ基、シアノ基、ハロゲン基（フッ素、塩素あるいは臭素）、芳香族アミノ基、芳香族ビニル基を示し、ｈおよびｉは各々独立に、０〜３の整数を示す。］
【請求項２】
前記正孔輸送性高分子からなる前記正孔注入層が、有機溶媒に不溶であることを特徴とする請求項１に記載の有機ＥＬ素子。
【請求項３】
前記正孔輸送性高分子からなる前記正孔注入層が、上記一般式（１）に示されるポリカルバゾール骨格を有する正孔輸送性高分子前駆体を加熱して、分子内または分子間で重合基を架橋させることにより形成されることを特徴とする請求項１または請求項２に記載の有機ＥＬ素子。
【請求項４】
前記重合基がビニル基であることを特徴とする請求項３に記載の有機ＥＬ素子。
【請求項５】
前記正孔輸送性高分子前駆体が、有機溶媒に可溶であることを特徴とする請求項３または請求項４のいずれか１項に記載の有機ＥＬ素子。
【請求項６】
前記正孔注入層と前記陽極の間に別の正孔注入層を挿入することを特徴とする請求項１〜５のいずれか１項に記載の有機ＥＬ素子。
【請求項７】
請求項１〜６のいずれか１項に記載の有機ＥＬ素子を、基板上にマトリックス状に形成してなることを特徴とする有機ＥＬディスプレイ。
【請求項８】
下記一般式（３）に示されるポリカルバゾール骨格を有することを特徴とする有機ＥＬ素子用の正孔輸送性高分子化合物。
【化３】
2009283509.tif 000003
【化４】
2009283509.tif 000004
［式（３）中、ｎは１〜１０００の整数であり、ｘとｙの比率は任意であり、Ｒは置換基であって、水素原子または置換されていてもよいアルキル基、置換されていてもよいアルコキシ基のいずれかであり、Ａｒ１およびＡｒ２は、各々独立に、置換されていてもよい芳香族炭化水素基、または置換されていてもよい芳香族複素環基を示す。
また、Ｘは、触媒の有る無しに関係なく、光あるいは熱によりクロスリンクが可能な重合性官能基をもった置換基であり、ビニル基、トリフルオロビニル基、アクリル基、メタクリル基、オキセタン基、あるいはエポキシ基などを有する、置換されていてもよいアルキル基、置換されてもよいアルコキシ基、置換されていてもよい芳香族炭化水素基、または置換されていてもよい芳香族複素環基を示し、ａおよびｂは各々独立に１〜５の整数を示す。
さらに、Ａｒ３は、上記一般式（４）に示されるカルバゾール環を含むモノマー部位であり、隣接するモノマー部位と２，７−位、または３，６−位を介して結合する。
式（４）中、Ｒ４は、置換されていてもよいアルキル基、置換されていてもよい芳香族炭化水素基、または置換されていてもよい芳香族複素環基を示し、Ｒ５、Ｒ６は、各々独立に、水素、置換されていてもよいアルキル基、置換されていてもよいアルコキシ基、置換されていてもよい芳香族炭化水素基、あるいは置換されていてもよい芳香族複素環基を示し、または、ニトロ基、シアノ基、ハロゲン基（フッ素、塩素あるいは臭素）、芳香族アミノ基、芳香族ビニル基を示し、ｈおよびｉは各々独立に、０〜３の整数を示す。］
【請求項９】
下記一般式（５）に示されるポリカルバゾール骨格を有することを特徴とする請求項８に記載の有機ＥＬ素子用の正孔輸送性高分子化合物。
【化５】
2009283509.tif 000005
［式（５）中、ｎは１〜１０００の整数であり、Ｒは置換基であって、水素原子または置換されていてもよいアルキル基、置換されていてもよいアルコキシ基のいずれかであり、Ａｒ１およびＡｒ２は、各々独立に、置換されていてもよい芳香族炭化水素基、または置換されていてもよい芳香族複素環基を示す。
また、Ｘは、触媒の有る無しに関係なく、光あるいは熱によりクロスリンクが可能な重合性官能基をもった置換基であり、ビニル基、トリフルオロビニル基、アクリル基、メタクリル基、オキセタン基、あるいはエポキシ基などを有する、置換されていてもよいアルキル基、置換されてもよいアルコキシ基、置換されていてもよい芳香族炭化水素基、または置換されていてもよい芳香族複素環基を示し、ａおよびｂは各々独立に１〜５の整数を示す。］
【請求項１０】
下記一般式（６）に示されるポリカルバゾール骨格を有することを特徴とする請求項８に記載の有機ＥＬ素子用の正孔輸送性高分子化合物。
【化６】
2009283509.tif 000006
［式（６）中、ｎは１〜１０００の整数であり、Ｒは置換基であって、水素原子または置換されていてもよいアルキル基、置換されていてもよいアルコキシ基のいずれかである。
また、Ｘは、触媒の有る無しに関係なく、光あるいは熱によりクロスリンクが可能な重合性官能基をもった置換基であり、ビニル基、トリフルオロビニル基、アクリル基、メタクリル基、オキセタン基、あるいはエポキシ基などを有する、置換されていてもよいアルキル基、置換されてもよいアルコキシ基、置換されていてもよい芳香族炭化水素基、または置換されていてもよい芳香族複素環基を示し、ａおよびｂは各々独立に１〜５の整数を示す。］
【手続補正２】
【補正対象書類名】明細書
【補正対象項目名】発明の名称
【補正方法】変更
【補正の内容】
【発明の名称】有機ＥＬ素子および有機ＥＬディスプレイ並びに有機ＥＬ素子用の正孔輸送性高分子化合物
【手続補正３】
【補正対象書類名】明細書
【補正対象項目名】００２２
【補正方法】変更
【補正の内容】
【００２２】
本発明の有機ＥＬ素子は、前記正孔輸送性高分子からなる前記正孔注入層が、有機溶媒に不溶であることを特徴とする。
【手続補正４】
【補正対象書類名】明細書
【補正対象項目名】００２３
【補正方法】変更
【補正の内容】
【００２３】
本発明の有機ＥＬ素子は、前記正孔輸送性高分子からなる前記正孔注入層が、上記一般式（１）に示されるポリカルバゾール骨格を有する正孔輸送性高分子前駆体を加熱して、分子内または分子間で重合基を架橋させることにより形成されることを特徴とする。
【手続補正５】
【補正対象書類名】明細書
【補正対象項目名】００２７
【補正方法】変更
【補正の内容】
【００２７】
本発明の有機ＥＬディスプレイは、先に記載の有機ＥＬ素子を、基板上にマトリックス状に形成してなることを特徴とする。
また、本発明の有機ＥＬ素子用の正孔輸送性高分子化合物は、下記一般式（２ａ）に示されるポリカルバゾール骨格を有することを特徴とする有機ＥＬ素子用の正孔輸送性高分子化合物。
【化２Ａ】
2009283509.tif 000007
【化２Ｂ】
2009283509.tif 000008
［式（２ａ）中、ｎは１〜１０００の整数であり、ｘとｙの比率は任意であり、Ｒは置換基であって、水素原子または置換されていてもよいアルキル基、置換されていてもよいアルコキシ基のいずれかであり、Ａｒ１およびＡｒ２は、各々独立に、置換されていてもよい芳香族炭化水素基、または置換されていてもよい芳香族複素環基を示す。
また、Ｘは、触媒の有る無しに関係なく、光あるいは熱によりクロスリンクが可能な重合性官能基をもった置換基であり、ビニル基、トリフルオロビニル基、アクリル基、メタクリル基、オキセタン基、あるいはエポキシ基などを有する、置換されていてもよいアルキル基、置換されてもよいアルコキシ基、置換されていてもよい芳香族炭化水素基、または置換されていてもよい芳香族複素環基を示し、ａおよびｂは各々独立に１〜５の整数を示す。
さらに、Ａｒ３は、上記一般式（２ｂ）に示されるカルバゾール環を含むモノマー部位であり、隣接するモノマー部位と２，７−位、または３，６−位を介して結合する。
式（２ｂ）中、Ｒ４は、置換されていてもよいアルキル基、置換されていてもよい芳香族炭化水素基、または置換されていてもよい芳香族複素環基を示し、Ｒ５、Ｒ６は、各々独立に、水素、置換されていてもよいアルキル基、置換されていてもよいアルコキシ基、置換されていてもよい芳香族炭化水素基、あるいは置換されていてもよい芳香族複素環基を示し、または、ニトロ基、シアノ基、ハロゲン基（フッ素、塩素あるいは臭素）、芳香族アミノ基、芳香族ビニル基を示し、ｈおよびｉは各々独立に、０〜３の整数を示す。］
また、本発明の有機ＥＬ素子用の正孔輸送性高分子化合物は、下記一般式（２ｃ）に示されるポリカルバゾール骨格を有することを特徴とする。
【化２Ｃ】
2009283509.tif 000009
［式（２ｃ）中、ｎは１〜１０００の整数であり、Ｒは置換基であって、水素原子または置換されていてもよいアルキル基、置換されていてもよいアルコキシ基のいずれかであり、Ａｒ１およびＡｒ２は、各々独立に、置換されていてもよい芳香族炭化水素基、または置換されていてもよい芳香族複素環基を示す。
また、Ｘは、触媒の有る無しに関係なく、光あるいは熱によりクロスリンクが可能な重合性官能基をもった置換基であり、ビニル基、トリフルオロビニル基、アクリル基、メタクリル基、オキセタン基、あるいはエポキシ基などを有する、置換されていてもよいアルキル基、置換されてもよいアルコキシ基、置換されていてもよい芳香族炭化水素基、または置換されていてもよい芳香族複素環基を示し、ａおよびｂは各々独立に１〜５の整数を示す。］
また、本発明の有機ＥＬ素子用の正孔輸送性高分子化合物は、下記一般式（２ｄ）に示されるポリカルバゾール骨格を有することを特徴とする。
【化２Ｄ】
2009283509.tif 000010
［式（２ｄ）中、ｎは１〜１０００の整数であり、Ｒは置換基であって、水素原子または置換されていてもよいアルキル基、置換されていてもよいアルコキシ基のいずれかである。
また、Ｘは、触媒の有る無しに関係なく、光あるいは熱によりクロスリンクが可能な重合性官能基をもった置換基であり、ビニル基、トリフルオロビニル基、アクリル基、メタクリル基、オキセタン基、あるいはエポキシ基などを有する、置換されていてもよいアルキル基、置換されてもよいアルコキシ基、置換されていてもよい芳香族炭化水素基、または置換されていてもよい芳香族複素環基を示し、ａおよびｂは各々独立に１〜５の整数を示す。］
【手続補正６】
【補正対象書類名】明細書
【補正対象項目名】００５０
【補正方法】変更
【補正の内容】
【００５０】
Ａｒ３としてより好ましくは、下記構造式（７−１）〜（７−１２）および下記構造式（８−１）〜（８−１６）などが例示される。